(57)【特許請求の範囲】
【請求項１】
底壁（１）の前端から前方斜め上方へ傾斜した前側壁（２）と、底壁（１）の後端から略垂直に立ち上がった後側壁（３）とを有する押出成形により断面略Ｕ字状に形成された軒樋であって前記前後側壁（２、３）間の開口部内に上方から他の軒樋の底壁（１）を差し入れて上下に積み重ねることができるように形成された軒樋において、
前側壁（２）を上側前側壁（２１）と下側前側壁（２２）から形成し、これら上下前側壁（２１、２２）の間に、上側前側壁（２１）の下端から軒樋の内側に向かって斜め下方へ傾斜した上辺部（６１）と当該上辺部（６１）の内側端から下方へ折れ曲がって下側前側壁（２２）の上端に連なった下辺部（６２）とを有して軒樋の内側に窪んだ係止段部（６）を設け、且つ前記上側前側壁（２１）と下側前側壁（２２）とを同一延長面上に形成するとともに、
上側前側壁（２１）の上端に、前記上辺部（６１）と略平行に軒樋の内側に向かって斜め下方へ傾斜した支持部（４１）と、当該支持部（４１）の内側端から下方へ折れ曲がっていて前記下辺部（６２）と略同一延長面上に配した傾斜部（４２）を形成し、この傾斜部（４２）の下端から斜め前方に立ち上げた湾曲部（４３）によって上側前側壁（２１）の裏面との間に隙間（４４）を形成して中空状の前耳部（４）を設け、前記傾斜部（４２）には前後側壁（２、３）間の開口部内へ突出した突起（４２ａ）を設けた構成を有することを特徴とする軒樋。
【請求項２】
底壁（１）と前側壁（２）とが交差する内側隅部に跨って補強桟（１２）を設けたことを特徴とする請求項１記載の軒樋。
【請求項３】
塩化ビニル樹脂からなる軒樋の外面をアクリル樹脂で被覆して形成されていることを特徴とする請求項１又は２に記載の軒樋。
【発明の詳細な説明】
【技術分野】
【０００１】
本発明は、表面を傷つけたり荷崩れさせたりすることなく、複数の軒樋を積み重ねて梱包し運搬することができるように構成された軒樋に関する。
【背景技術】
【０００２】
近年、建物の高級化、ファッション化といった建築デザインの多様化に伴い、建物の軒先に沿って取付けられる軒樋も都市型モダン住宅にマッチした色調やシャープな形状を備えた形態のもの、例えば前耳部が後耳部よりも高くなるようにして前側壁が軒先側へ大きく張り出すように設けたり、さらに前側壁に長手方向に沿った湾曲部やリブを設けたりするなどして意匠性を向上させた形態のものが利用されてきている。
このような軒樋は、建材や資材とともに建設現場に運び込まれるが、前後耳部の高さを異ならせて設けてあるため、運搬の際に軒樋同士を上下に積み重ねて梱包し難く、輸送効率を上げるため複数の軒樋を無理に重ねると、搬送途中で荷崩れを起こしたり、前側壁の外面に凹みや擦り傷ができたりすることがあった。
【０００３】
そこで、図７に示されるような、上下多段に積み重ねたときに斜めに傾かないようにした構造の軒樋が提案されている。
この軒樋９は、底壁９１の前後端から前面板９２と後面板９３を立ち上げて断面略Ｕ字形をなし、前面板９２の上端に内側に突設した前耳部９４、後面板９３の上端に外側に突設した後耳部９５をそれぞれ備えるとともに、前耳部９４の内側縁部に係止凸部９４１を形成し、前面板９２の上側前面板９２１と下側前面板９２２との間に外側から内側に凹没する係止凹溝９６を設けて、上側前面板９２１を下側前面板９２２の延長面上よりも外側に位置させ、上側前面板９２１と係止凹溝９６との間には水切りリブ９６１を下方へ突設させて形成したものであり、同図（Ｂ）に示されるように、複数の軒樋９を上側の軒樋９の外面を下側の軒樋９の内側に沿わせ、且つ上下の軒樋９、９の重合位置を合わせて多段に積み重ねることができるように構成してある（例えば特許文献１、２参照）。
【先行技術文献】
【特許文献】
【０００４】
【特許文献１】特開２００９−７７４４号公報
【特許文献２】特開平７−２２９２５３号公報
【発明の概要】
【発明が解決しようとする課題】
【０００５】
前記図示した従来の軒樋９は、上側前面板９２１と下側前面板９２２の間に係止凹溝９６を配し、さらに上側前面板９２１を下側前面板９２２の延長面上よりも外側に張り出した位置に設けてある。
そのため、この軒樋９が取付けられた建物の軒を下側から見上げると、下側前面板９２２が軒樋９の係止凹溝９６で一旦途切れ、その上方に上側前面板９２１が張り出しているため、係止凹溝９６の部分で軒樋９の表面にスリット状に切れ目があるかのように錯覚して見え、外観上の違和感を生じさせることがあった。
また、前記図７（Ｂ）に示されるように、軒樋９を上下複数段に積み重ねて梱包すると、多段に積み重なった軒樋９の荷重を受けて下段の軒樋９の前面板９２が前方へ押し広げられて変形し易かった。
【０００６】
本発明は従来技術の有するこのような問題点に鑑み、軒樋を積み重ねて搬送するときに、荷崩れしたり、軒樋の前側壁の外面に凹みや擦り傷といった破損を生じさせたりすることがなく、しかも積み重ねて梱包しても変形を来すことがなく、都市型モダン住宅にマッチしたシャープな形態を備えた軒樋を提供することを課題とする。
【課題を解決するための手段】
【０００７】
前記課題を解決するため本発明は、底壁の前端から前方斜め上方へ傾斜した前側壁と、底壁の後端から略垂直に立ち上がった後側壁とを有する押出成形により断面略Ｕ字状に形成された軒樋であって前記前後側壁間の開口部内に上方から他の軒樋の底壁を差し入れて上下に積み重ねることができるように形成された軒樋において、
前側壁を上側前側壁と下側前側壁から形成し、これら上下前側壁の間に、上側前側壁の下端から軒樋の内側に向かって斜め下方へ傾斜した上辺部と当該上辺部の内側端から下方へ折れ曲がって下側前側壁の上端に連なった下辺部とを有して軒樋の内側に窪んだ係止段部を設け、且つ上側前側壁と下側前側壁とを同一延長面上に形成するとともに、
上側前側壁の上端に、前記上辺部と略平行に軒樋の内側に向かって斜め下方へ傾斜した支持部と、当該支持部の内側端から下方へ折れ曲がっていて前記下辺部と略同一延長面上に配した傾斜部を形成し、この傾斜部の下端から斜め前方に立ち上げた湾曲部によって上側前側壁の裏面との間に隙間を形成して中空状の前耳部を設け、前記傾斜部には前後側壁間の開口部内へ突出した突起を設けた構成を有することを特徴とする。
【０００８】
上記構成からなる軒樋は、係止段部の上辺部と前耳部の支持部とを略平行な配置関係となるように設けてあるので、この軒樋を上下に積み重ねて梱包した際に、下段の軒樋の前耳部の支持部に上段の軒樋の係止段部の上辺部が面接触して、上下に重ねた状態の軒樋を安定して積み重ね位置に保持することができる。このとき、下段の軒樋の傾斜部に設けた突起が、上段の軒樋の前側壁の外面と下段の軒樋の前側壁の内面との間に隙間を形成するスペーサとしての機能を奏するため、上段の軒樋の前側壁の外面に擦れやキズ、凹みなどができることはない。
また、この軒樋は、上側前側壁と下側前側壁とを同一延長面上に沿った配置とするとともに、上側前側壁と下側前側壁の間に、上辺部と下辺部とで山形に窪んだ係止段部を設けてあるので、この軒樋が取付けられた建物の軒を下側から見上げると、軒樋の連続した前側壁の外面内に、外観上のアクセントとして凹んだ係止段部を配置した如く見え、軒先が都市型モダン住宅にマッチしたシャープでスマートな外観のものとなる。
【０００９】
上記構成の軒樋において、底壁と前側壁が交差する内側隅部に跨って、好ましくは略Ｌ字状の補強桟を設けることが好ましい。このように底壁と前側壁とが交差する内側隅部に補強桟が設けてあれば、軒樋を上下に積み重ねて梱包した際に、上段に重ねた軒樋の荷重が下段の軒樋にかかっても、補強桟により前側壁が底壁との交差位置に保形されて、前側壁が押し広げられて変形することもなく、軒樋を多段に重ねた状態で変形を来すことなく保管することができる。
また、上記構成の軒樋は、塩化ビニル樹脂を用いて押出成形し、その外面をアクリル樹脂で被覆して形成することができる。軒樋の外面が耐候性に優れたアクリル樹脂で被覆されていれば、塩化ビニル樹脂からなる軒樋の経年変化による紫外線劣化を未然に防止することが可能である。
【発明の効果】
【００１０】
本発明の軒樋によれば、都市型モダン住宅にマッチしたシャープな形態を備えた軒樋を、荷崩れを起こしたり軒樋表面に傷をつけたり変形させたりすることなく、多段に安定して積み重ね、これを梱包して保管し搬送することが可能である。
【図面の簡単な説明】
【００１１】
【図１】本発明の一実施形態の軒樋の側部端面図である。
【図２】図１の軒樋の前側壁上部を拡大して示した断面図である。
【図３】図１の軒樋の後側壁上部を拡大して示した断面図である。
【図４】図１の軒樋を軒樋吊具で支持して軒先に取付けた状態を示す側面図である。
【図５】図１の軒樋を上下に重ねて梱包する形態を示した図である。
【図６】図１の軒樋を梱包するときの他の形態を示した図である。
【図７】従来の軒樋の一例を示し、（Ａ）は軒樋の側面図、（Ｂ）はこの軒樋を多段に積み重ねた状態の側面図である。
【発明を実施するための形態】
【００１２】
本発明の好適な一実施形態を図面に基づいて説明する。
本発明の軒樋Ａは、図１に示されるように、底壁１の前端から前方斜め上方に傾斜した前側壁２と、底壁１の後端から略垂直に立ち上がった後側壁３とで、上方が開口した断面略Ｕ字状に形成されたものであり、前後側壁２、３間の開口部内に上方から他の軒樋Ａの底壁１を差し入れて、軒樋Ａ同士を上下に積み重ねることができるように形成してある。軒樋Ａは、例えば塩化ビニル樹脂などを押出成形して得られた軒樋本体の表面をアクリル樹脂などの耐候性に優れた樹脂で被覆するなどして成形することができる。
【００１３】
より詳しくは、軒樋Ａの前側壁２は、前側壁２の上半部を構成する上側前側壁２１と下半部を構成する下側前側壁２２の間に係止段部６を配し、前側壁２の外側面に凹凸が表出する形状に設けてある。
すなわち、図１及び図２に示されるように、下側側壁２２は底壁１の前端から斜め上方へ屈曲して適宜な高さに立ち上がっており、係止段部６を挟んで下側側壁２２の略同一な延長面上（図２中の破線Ｘ１）に沿って上側前側壁２１を適宜な高さに突出させてある。
係止段部６は、上側前側壁２１の下端から軒樋Ａの内側に向かって斜め下方へ傾斜した上辺部６１と、この上辺部６１の内側端から下方へ折れ曲がって前記下側前側壁２２の上端に連なる下辺部６２とで、上下前側壁２１、２２の接続部の断面が軒樋Ａの内側に山形に窪んだ形状を呈するように設けてある。
【００１４】
また、図２に示されるように、前記上側前側壁２１の上端には、上方へ突出した凸部４０を介して軒樋Ａの内側に向かって前記上辺部６１と略平行に斜め下方へ傾斜した支持部４１を設け、この支持部４１の下側には、支持部４１の内側端から下方へ折れ曲がっていて前記下辺部６２と略同一な延長面上（図２中の破線Ｘ２）に沿って配した傾斜部４２を形成してある。
さらに、傾斜部４２の下端に湾曲しながら斜め前方へ立ち上げた湾曲部４３を設け、且つ湾曲部４３の端部は上側前側壁２１に接合し、この湾曲部４３と上側前側壁２１の裏面との間に隙間４４を形成して、前記支持部４１、傾斜部４２及び湾曲部４３により縁取られる空間を中空状の前耳部４としてある。
また、図２に示されるように、傾斜部４２には、前後側壁２、３間の開口部内へ突出した、高さが０．５ｍｍ〜３ｍｍ程度の突起４２ａを設けてある。
【００１５】
また、軒樋Ａの後側壁３は、底壁１の後端から略垂直に屈曲して立ち上がった後側壁３の上端に、外側へ突出して下方へ略Ｌ字形に折れ曲がり、且つ端部を後側壁３の表面に接合してなる後耳部５を形成してある。
この後耳部５は、図３に示されるように、上辺部５０、傾斜部５１、垂直部５２及び下辺部５３によって形成されており、その上下の高さＨが前耳部４の支持部４１と上辺部６１の高さＨに等しくなるように設けてある（図１参照）。
また、垂直部５２の下端には、下辺部５３よりも下側に突出した係止突起５３ａが設けてあり、図５に示されるように、軒樋Ａ、Ａを上下に積み重ねた状態で、上段の軒樋Ａの係止突起５３ａが下段の軒樋Ａの後耳部５の上辺部５０に係合するようになっている。
なお、傾斜部５１の上辺部５０に対する傾斜角度は、傾斜部５１が前側壁２の上下前側壁壁２１、２２と略平行となる角度に設定するのが好ましい。
【００１６】
また、前記底壁１の前端と前側壁２とが交差する内側隅部には、軒樋Ａに上方からの荷重がかかったときに軒樋Ａの前側壁２が外方へ広がって変形することを防止するため、略Ｌ字状に折れ曲がった補強桟１２を設けてある。
【００１７】
このように構成された軒樋Ａは、図４に示されるように、軒先の鼻隠し７に固定した軒樋吊具８の前耳支持部８１を前耳部４の隙間４４に嵌め入れて前耳部４を係合させるとともに、後耳支持部８２に後耳部５を係合させることにより、軒樋吊具８に軒樋Ａをがたつくことなく安定した状態で支持させることができる。
【００１８】
そして、建材や資材とともに軒樋Ａを建設現場に運び込む場合などに、図５に示されるように、複数の軒樋Ａ、Ａを上下多段に積み重ねた状態で梱包し、荷崩れを起こすことなく搬送することができる。
すなわち、軒樋Ａは、前側壁２に設けた係止段部６の上辺部６１と前耳部４の支持部４１とを略平行に設けてあるので、複数の軒樋Ａを上下に積み重ねたときに、上段の軒樋Ａの係止段部６が下段の軒樋Ａの前耳部４に載って支持され、また、上段の軒樋Ａの後耳部５が下端の軒樋Ａの後耳部５に載って支持されて、係止段部６の上辺部６１と前耳部４の支持部４１とが面接触することにより、上段の軒樋Ａを下段の軒樋Ａ上に安定した状態で支持することができる。
また、このとき、前耳部４の傾斜部４２に設けた突起４２ａが、上段の軒樋Ａの前側壁２の外面と下段の軒樋Ａの前側壁２の内面との間に隙間を形成するスペーサとしての機能を奏するため、上段の軒樋Ａの下辺部６２が下段の軒樋Ａの傾斜部４２や下辺部６２と接触するようなことはなく、搬送中に積み重ねた上段の軒樋Ａの前側壁２の外面に擦れやキズ、凹みなどができることはない。
【００１９】
また、後側壁３の傾斜部５１を前側壁２と略平行となるように設けてあるので、図６に示されるように、上段の軒樋Ａを上下反転させて下段の軒樋Ａに重ねても、上段の軒樋Ａの傾斜部５１が下段の軒樋Ａの前側壁２の内面に面接触して、下段の軒樋Ａ上に上段の反転した軒樋Ａを安定的に保持して梱包することが可能である。この場合、下段の軒樋Ａの補強桟１２は、上段の軒樋Ａの後耳部５を支持する台座として機能する。
【００２０】
なお、図示した軒樋の形態は一例であり、本発明は図示した形態に限定されず、他の適宜な形態に構成可能である。
【符号の説明】
【００２１】
Ａ  軒樋、１  底壁、２  前側壁、２１  上側前側壁、２２  下側前側壁、３  後側壁、４  前耳部、４０  凸部、４１  支持部、４２  傾斜部、４２ａ  突起、４３  湾曲部、４４  隙間、５  後耳部、５０  上辺部、５１  傾斜部、５２  垂直部、５３  下辺部、６  係止段部、６１  上辺部、６２  下辺部、７  鼻隠し、８  軒樋吊具
【図１】
0005497402.tif 000002
【図２】
0005497402.tif 000003
【図３】
0005497402.tif 000004
【図４】
0005497402.tif 000005
【図５】
0005497402.tif 000006
【図６】
0005497402.tif 000007
【図７】
0005497402.tif 000008